(57)【要約】【課題】原水のみならず、浄水をシャワ板から直放水の状態と散水の状態に切替えて吐出させるための水栓用流路切替装置および浄水器付水栓を提供すること。【解決手段】直放水を吐出する直放水吐出流路Ａ，Ｃと、散水を吐出する散水吐出流路Ｂ，Ｄとの切替操作を、流路切替装置本体４内に軸まわりに回動自在に設けたドラム１３により行うように構成され、更に、前記ドラム１３は、ドラム上流側流路９８，１０１とドラム内流路ｉ，ｉ’を連通させるための連通孔ａ，ｂ，ｃ，ｄを有するとともに、ドラム内流路ｉ’と直放水吐出流路Ａ，Ｃ、または、ドラム内流路ｉと散水吐出流路Ｂ，Ｄを連通させるための連通孔ａ’，ｂ’，ｃ’，ｄ’を有し、更に、ドラム内流路ｉ，ｉ’を流れる浄水１００、原水９９の残留塩素濃度を検知するセンサ３０を流路切替装置本体４に固定状態で設けてある。【選択図】          図１
2004308321.tif 000002
【特許請求の範囲】
【請求項１】
直放水を吐出する直放水吐出流路と、散水を吐出する散水吐出流路との切替操作を、流路切替装置本体内に軸まわりに回動自在に設けたドラムにより行うように構成され、更に、前記ドラムは、ドラム上流側流路とドラム内流路を連通させるための連通孔を有するとともに、ドラム内流路と直放水吐出流路、または、ドラム内流路と散水吐出流路を連通させるための連通孔を有し、更に、ドラム内流路を流れる浄水、原水の残留塩素濃度を検知するセンサを流路切替装置本体に固定状態で設けてあることを特徴とする水栓用流路切替装置。
【請求項２】
前記ドラムは、有底筒状で、ドラム上流側流路とドラム内流路を連通させるための連通孔を底部に有する一方、ドラム内流路と直放水吐出流路または散水吐出流路を連通させるための連通孔を胴部に有し、また、流路切替装置本体は、前記底部にシール可能に当接するよう弁座部を有し、更に、前記ドラムは、ドラムの軸芯上に前記弁座部の中心が位置するよう流路切替装置本体内に設けられており、前記センサは、前記弁座部の中心に設けた取付孔と、ドラムの底部の軸芯上に設けた中心孔に跨がって取付けられている請求項１に記載の水栓用流路切替装置。
【請求項３】
請求項１または請求項２に記載の水栓用流路切替装置を備え、前記直放水吐出流路が、原水を浄化させた浄水の直放水を吐出する浄水直放水流路、原水のまま直放水を吐出する原水直放水流路で構成され、前記散水吐出流路が、前記浄水の散水を吐出する浄水散水流路、原水のまま散水を吐出する原水散水流路で構成された浄水器付水栓であって、流路切替装置本体は、ドラムの底部にシール可能に当接する弁座部の上流側に浄水室と原水室を有するとともに、前記弁座部の下流側に、ドラムを収容するドラム収容室を有し、前記ドラムは、底部における中心孔まわりに一つの導入孔を有し、また、前記弁座部は、中心に設けた取付孔のまわりに、前記浄水室とドラム内流路を連通させる第１の孔、第２の孔を有するとともに、前記原水室とドラム内流路を連通させる第３の孔、第４の孔を有する一方、前記導入孔を前記第１の孔に整合させることにより、ドラム内流路と浄水直放水流路を連通させるための浄水直放水用連通孔を前記ドラムの胴部に有し、また、前記導入孔を前記第２の孔に整合させることにより、ドラム内流路と浄水散水流路を連通させるための浄水散水用連通孔を前記胴部に有し、また、前記導入孔を前記第３の孔に整合させることにより、ドラム内流路と原水直放水流路を連通させるための原水直放水用連通孔を前記胴部に有し、また、前記導入孔を前記第４の孔に整合させることにより、ドラム内流路と原水散水流路を連通させるための原水散水用連通孔を前記胴部に有し、更に、浄水中の塩素濃度を検知する第１のセンサを、前記浄水室から前記取付孔と前記中心孔に跨がって設け、しかも、原水中の塩素濃度を検知する第２のセンサを前記原水室に設けたことを特徴とする浄水器付水栓。
【請求項４】
浄水がドラム内を流れている間、前記第１のセンサの感応部が浄水中の残留塩素を検知することによって得られる残留塩素濃度と、原水が原水室内を流れている間、前記第２のセンサの感応部が原水中の残留塩素を検知することによって得られる残留塩素濃度とを表示する表示部を有する請求項３に記載の浄水器付水栓。
【請求項５】
前記浄水直放水流路、原水直放水流路、浄水散水流路、原水散水流路の４つの各吐出状態を表示する表示部を有し、流路切替操作に連動させて前記表示部に４つの各吐出状態を表示させるよう構成してある請求項３または請求項４に記載の浄水器付水栓。
【発明の詳細な説明】
【０００１】
【発明の属する技術分野】
この発明は、水栓用流路切替装置および浄水器付水栓に関するものである。
【０００２】
【従来の技術】
【特許文献１】特開平１０−  ８５１４号公報
本出願人は、水栓の蛇口などに装着して使用される浄水器を開発している（前記特許文献１参照）。これは、弁体用と止水用のＯリングを両端側に備えて軸線方向に弁座部材上を摺動する筒状の弁軸を設け、この弁軸の軸線方向移動に伴って、浄水器カートリッジを通して浄水を吐出する状態と、シャワ板から原水のまま直放水を吐出する状態と、シャワ板から原水のまま散水を吐出する状態に切替可能に構成されるとともに、直放水を吐出する状態と散水を吐出する状態を交互に切替えるための球体弁を前記弁軸の長手中間部に遊動自在に保持してなるものである。
【０００３】
【発明が解決しようとする課題】
しかし、浄水をシャワ板から直放水の状態と散水の状態に切替えて吐出させるための流路切替装置はなかった。
【０００４】
この発明は、上記問題に鑑みてなしたもので、原水のみならず、浄水をシャワ板から直放水の状態と散水の状態に切替えて吐出させるための水栓用流路切替装置および浄水器付水栓を提供することを目的としている。
【０００５】
【課題を解決するための手段】
上記目的を達成するために、本願の請求項１に係る発明は、直放水を吐出する直放水吐出流路と、散水を吐出する散水吐出流路との切替操作を、流路切替装置本体内に軸まわりに回動自在に設けたドラムにより行うように構成され、更に、前記ドラムは、ドラム上流側流路とドラム内流路を連通させるための連通孔を有するとともに、ドラム内流路と直放水吐出流路、または、ドラム内流路と散水吐出流路を連通させるための連通孔を有し、更に、ドラム内流路を流れる浄水、原水の残留塩素濃度を検知するセンサを流路切替装置本体に固定状態で設けてあることを特徴とする水栓用流路切替装置を提供する。
【０００６】
また、本願の請求項２に係る発明は、前記ドラムは、有底筒状で、ドラム上流側流路とドラム内流路を連通させるための連通孔を底部に有する一方、ドラム内流路と直放水吐出流路または散水吐出流路を連通させるための連通孔を胴部に有し、また、流路切替装置本体は、前記底部にシール可能に当接するよう弁座部を有し、更に、前記ドラムは、ドラムの軸芯上に前記弁座部の中心が位置するよう流路切替装置本体内に設けられており、前記センサは、前記弁座部の中心に設けた取付孔と、ドラムの底部の軸芯上に設けた中心孔に跨がって取付けられている請求項１に記載の水栓用流路切替装置を提供する。
【０００７】
また、本願の請求項３に係る発明は、請求項１または請求項２に記載の水栓用流路切替装置を備え、前記直放水吐出流路が、原水を浄化させた浄水の直放水を吐出する浄水直放水流路、原水のまま直放水を吐出する原水直放水流路で構成され、前記散水吐出流路が、前記浄水の散水を吐出する浄水散水流路、原水のまま散水を吐出する原水散水流路で構成された浄水器付水栓であって、流路切替装置本体は、ドラムの底部にシール可能に当接する弁座部の上流側に浄水室と原水室を有するとともに、前記弁座部の下流側に、ドラムを収容するドラム収容室を有し、前記ドラムは、底部における中心孔まわりに一つの導入孔を有し、また、前記弁座部は、中心に設けた取付孔のまわりに、前記浄水室とドラム内流路を連通させる第１の孔、第２の孔を有するとともに、前記原水室とドラム内流路を連通させる第３の孔、第４の孔を有する一方、前記導入孔を前記第１の孔に整合させることにより、ドラム内流路と浄水直放水流路を連通させるための浄水直放水用連通孔を前記ドラムの胴部に有し、また、前記導入孔を前記第２の孔に整合させることにより、ドラム内流路と浄水散水流路を連通させるための浄水散水用連通孔を前記胴部に有し、また、前記導入孔を前記第３の孔に整合させることにより、ドラム内流路と原水直放水流路を連通させるための原水直放水用連通孔を前記胴部に有し、また、前記導入孔を前記第４の孔に整合させることにより、ドラム内流路と原水散水流路を連通させるための原水散水用連通孔を前記胴部に有し、更に、浄水中の塩素濃度を検知する第１のセンサを、前記浄水室から前記取付孔と前記中心孔に跨がって設け、しかも、原水中の塩素濃度を検知する第２のセンサを前記原水室に設けたことを特徴とする浄水器付水栓を提供する。
【０００８】
更に、本願の請求項４に係る発明は、浄水がドラム内を流れている間、前記第１のセンサの感応部が浄水中の残留塩素を検知することによって得られる残留塩素濃度と、原水が原水室内を流れている間、前記第２のセンサの感応部が原水中の残留塩素を検知することによって得られる残留塩素濃度とを表示する表示部を有する請求項３に記載の浄水器付水栓を提供する。
【０００９】
また、本願の請求項５に係る発明は、前記浄水直放水流路、原水直放水流路、浄水散水流路、原水散水流路の４つの各吐出状態を表示する表示部を有し、流路切替操作に連動させて前記表示部に４つの各吐出状態を表示させるよう構成してある請求項３または請求項４に記載の浄水器付水栓を提供する。
【００１０】
【発明の実施の形態】
以下にこの発明の実施形態について説明する。なお、それによって、この発明は限定されるものではない。
【００１１】
図１〜図５は、水栓本体の蛇口に、水栓用流路切替装置の上部に立ち上げた雄ネジ筒部がナットにより係止連結されて構成してあるこの発明の一実施形態を示す。
【００１２】
図１〜図５において、浄水器付水栓１は、シングルレバー式の混合水栓本体と、水栓本体の蛇口２にナット３により係止連結されている雄ネジ筒部１ａを上部に立ち上げた状態で有する流路切替装置本体４を備えた水栓用流路切替装置（以下、単に流路切替装置という）５と、流路切替装置５の下部に設けたシャワ板６と、流路切替装置本体４に連通連結された浄水器７とより主として構成される。
浄水器７は、水道水中の残留塩素除去を行うもので、残留塩素除去部には、例えば、活性炭が充填されたり、ビタミンＣが充填されたりしている。
【００１３】
前記流路切替装置５は、前記流路切替装置本体４と、流路切替装置本体４を覆う上部カバー８と、上部カバー８とで流路切替装置本体４を収容する流路切替装置本体収容空間を形成するとともに、シャワ板６が下面側に着脱自在に取り付けられている下部カバー９と、原水を浄化させた浄水の直放水を吐出する浄水直放水流路Ａ、浄水の散水を吐出する浄水散水流路Ｂ、原水のまま直放水を吐出する原水直放水流路Ｃ、原水のまま散水を吐出する原水散水流路Ｄの４つの各吐出状態に切替えるための切替操作部材１０とを有する。そして、切替操作部材１０による流路切替操作に連動させて、前記浄水直放水流路Ａ、浄水散水流路Ｂ、原水直放水流路Ｃ、原水散水流路Ｄの４つの各吐出状態を表示する表示部（図示せず）が上部カバー８の切替操作部材１０寄りに設けられている。
【００１４】
また、前記上部カバー８は、正面位置に使用者が目視可能な表示部１１を前記４つの各吐出状態を表示する前記表示部に隣接させて有する。この表示部１１は、浄水１００がドラム１３内を流れている間、後述する第１のセンサ３０の感応部３０ａが浄水１００中の残留塩素を検知することによって得られる残留塩素濃度Ｆと、原水９９が原水室Ｑ内を流れている間、後述する第２のセンサ３１の感応部３１ａが原水９９中の残留塩素を検知することによって得られる残留塩素濃度Ｇとを表示するよう構成されている。１２は電池で、前記流路切替装置本体収容空間内に着脱可能に設けられている。
【００１５】
１３は、切替操作部材１０に連動連結されて前記４つの各吐出状態への切替操作を行うための有底筒状のドラムで、胴部２４と平面視円形の底部１４とよりなる。ドラム１３は、流路切替装置本体４内に設けたドラム収容室Ｒに収容されており、流路切替装置本体４内に軸まわりに回動自在に設けられている。
【００１６】
更に、前記流路切替装置本体４は、ドラム１３の平面視円形の底部１４にシール可能に当接する平面視円形の弁座部１５を有するとともに、この弁座部１５の上流側に浄水室Ｐと原水室Ｑを有する。前記ドラム収容室Ｒは、前記弁座部１５の下流側に位置している。
【００１７】
また、前記ドラム１３は、平面視円形の底部１４に中心孔１６を有する。そして、ドラム１３は、底部１４における前記中心孔１６まわりに一つの導入孔１７を有する。
【００１８】
一方、平面視円形の前記弁座部１５は、中心に取付孔１８を有し、この取付孔１８のまわりに、前記浄水室Ｐとドラム内流路ｉ，ｉ’を連通させ、最終的に下部カバー９におけるシャワ板６直上に位置する直放水吐出口６ａおよび散水吐出口６ｂから浄水直放水および浄水散水をそれぞれ吐出させるための第１の孔ａおよび第２の孔ｂを有するとともに、前記原水室Ｑとドラム内流路ｉを連通させ、最終的に前記直放水吐出口６ａおよび散水吐出口６ｂから直放水吐出口６ａから原水直放水および原水散水をそれぞれ吐出させるための第３の孔ｃ、第４の孔ｄを有する。各孔ａ，ｂ，ｃ，ｄの間隔は、円周角で９０°に設定されている。
【００１９】
また、ドラム１３は、胴部２４に、前記導入孔１７を前記第１の孔ａ（ス）に整合させることにより、ドラム内流路ｉ’と浄水直放水流路Ａを連通させるための浄水直放水用連通孔ａ’を有し、また、前記導入孔１７を前記第２の孔ｂ（シャワ）に整合させることにより、ドラム内流路ｉと浄水散水流路Ｂを連通させるための浄水散水用連通孔ｂ’を有し、また、前記導入孔１７を前記第３の孔ｃ（ス）に整合させることにより、ドラム内流路ｉ’と原水直放水流路Ｃを連通させるための原水直放水用連通孔ｃ’を有し、また、前記導入孔１７を前記第４の孔ｄ（シャワ）に整合させることにより、ドラム内流路ｉと原水散水流路Ｄを連通させるための原水散水用連通孔ｄ’を有する。
【００２０】
更に、浄水中の塩素濃度を検知する第１のセンサ３０を、前記浄水室Ｐから前記取付孔１８と前記中心孔１６に跨がって設け、しかも、原水中の塩素濃度を検知する第２のセンサ３１を前記原水室Ｑに設けている。
【００２１】
すなわち、図１に示すように、浄水室Ｐと原水室Ｑは第１のセンサ３０の設置室１１０を介して流路切替装置本体４内に設けてある。つまり、原水室Ｑと設置室１１０とは第１の隔壁Ｗ１  で仕切られている。また、浄水室Ｐと設置室１１０とは第２の隔壁Ｗ２  で仕切られている。更に、ドラム１３の前記中心孔１６と弁座部１５の取付孔１８は連通しており、設置室１１０は、前記中心孔１６と取付孔１８を含んでいる。そして、設置室１１０は、第１のセンサ挿入側に設けた挿入口１０３を有し、第１のセンサ３０の先端に設けた感応部３０ａを、挿入口１０３から取付孔１８と中心孔１６を挿通させてドラム１３内に位置させることにより、第１のセンサ３０を流路切替装置本体４内に固定状態で設けてある。
【００２２】
また、浄水器７で浄化された浄水１００は浄水室Ｐに連通する浄水流路から浄水室Ｐに導入される。１０１は、前記浄水流路を形成する浄水導入管である。そして、浄水室Ｐに導入された浄水は、前記切替操作によって、第１の孔ａから導入孔１７を介してドラム内流路ｉに至るか、あるいは、第２の孔ｂから導入孔１７を介してドラム内流路ｉ’に至る。
【００２３】
一方、原水室Ｑは、第２のセンサ３１を挿入する挿入口１０５を有し、この挿入口１０５から第２のセンサ３１を原水室Ｑ内に挿通させて第２のセンサ３１の先端に設けた感応部３１ａを原水室Ｑ内に位置させることにより、第２のセンサ３１を流路切替装置本体４内に固定状態で設けてある。前記第１のセンサ３０、第２のセンサ３１は前記電池で駆動される。
【００２４】
また、浄水器７で浄化された浄水９９は原水室Ｑに連通する原水流路から原水室Ｑに導入される。９８は、前記原水流路を形成する原水導入管である。そして、原水室Ｑに導入された原水は、前記切替操作によって、第３の孔ｃから導入孔１７を介してドラム内流路ｉに至るか、あるいは、第４の孔ｄから導入孔１７を介してドラム内流路ｉ’に至る。
【００２５】
而して、前記切替操作により、浄水直放水流路Ａや浄水散水流路Ｂを得るときには、混合水栓本体から流出された原水９９は蛇口２から原水室Ｑを通って浄水器７に至る。浄水器７から導出された浄水１００は、浄水室Ｐからドラム１３内に至り、シャワ板６から吐水する。このとき、ドラム１３内に位置している第１のセンサ３０の感応部３０ａは浄水１００に浸漬されており、浄水１００がドラム１３内を流れている間は、浄水１００中の残留塩素濃度Ｆを検知する。一方、原水室Ｑ内に位置している第２のセンサ３１の感応部３１ａは原水９９に浸漬されていることから原水９９が原水室Ｑ内を流れている間は、原水９９中の残留塩素濃度Ｇを検知する。
【００２６】
その結果、表示部１１には、原水９９中の残留塩素濃度Ｇが例えば０．４５ｐｐｍと表示されるとともに、同時に浄水１００中の残留塩素濃度Ｆが例えば０．００ｐｐｍと表示部１１に表示されることになる。そして、混合水栓本体から原水９９が流れている間、使用者は、表示部１１を目視することによって原水９９中の残留塩素がいくら位除去されたかを容易に確認できる。
【００２７】
また、前記切替操作により、原水直放水流路Ｃや原水散水流路Ｄを得るときには、混合水栓本体から流出された原水９９は蛇口２から原水室Ｑを通って浄水器７に至る。浄水器７から導出された浄水１００は、浄水室Ｐに停滞したままでドラム１３内に至ることはない。このとき、ドラム１３内に位置している第１のセンサ３０の感応部３０ａは原水９９に浸漬されており、原水９９が原水室Ｑ内を流れている間は、原水室Ｑからドラム１３内に流れてきた原水９９中の残留塩素濃度Ｆを検知することになる。一方、原水室Ｑ内に位置している第２のセンサ３１の感応部３１ａは原水９９に浸漬されていることから原水９９が原水室Ｑ内を流れている間は、原水９９中の残留塩素濃度Ｇを検知する。
【００２８】
その結果、表示部１１には、原水９９中の残留塩素濃度Ｇが例えば０．４５ｐｐｍと表示されるとともに、残留塩素濃度Ｆも０．４５ｐｐｍと表示部１１に表示されることになる。
【００２９】
【発明の効果】
以上説明したようにこの発明によれば、原水のみならず、浄水をシャワ板から直放水の状態と散水の状態に切替えて吐出させることができる。
【００３０】
また、この発明では、浄水直放水流路や浄水散水流路を得るときには、ドラム内に位置している第１のセンサは浄水に浸漬されており、浄水がドラム内を流れている間は、浄水中の残留塩素濃度を検知することができるとともに、原水室内に位置している第２のセンサは原水に浸漬されていることから原水が原水室内を流れている間は、原水中の残留塩素濃度を検知できる。
【図面の簡単な説明】
【図１】この発明の一実施形態における切替動作を示すための透視斜視図である。
【図２】上記実施形態を上方側からみた構成説明図である。
【図３】上記実施形態を正面側からみた構成説明図である。
【図４】上記実施形態を側面側からみた構成説明図である。
【図５】上記実施形態で用いた下部カバーを示す平面図である。
【符号の説明】
１…浄水器付水栓、４…流路切替装置本体、５…水栓用流路切替装置、１３…ドラム、３０…センサ、９８，１０１…ドラム上流側流路、９９…原水、１００…浄水、Ａ，Ｃ…直放水吐出流路、Ｂ，Ｄ…散水吐出流路、ｉ，ｉ’…ドラム内流路、ａ，ｂ，ｃ，ｄ、ａ’，ｂ’，ｃ’，ｄ’…連通孔。
【図１】
2004308321.tif 000003
【図２】
2004308321.tif 000004
【図３】
2004308321.tif 000005
【図４】
2004308321.tif 000006
【図５】
2004308321.tif 000007